【手続補正書】
【提出日】平成24年7月3日(2012.7.3)
【手続補正１】
【補正対象書類名】明細書
【補正対象項目名】００１２
【補正方法】変更
【補正の内容】
【００１２】
上記目的達成のため、本発明による撮像装置は、撮像素子と、前記撮像素子により撮像された撮像画像全体の階調を補正する階調補正手段と、前記撮像素子により撮像された撮像画像内に局所的に生じるスミアの位置を検出し、この検出位置に基づいて局所的にスミアを低減するスミア低減手段と、前記撮像素子により撮像された撮像画像全体に生じる黒浮きを、前記階調補正手段により低階調側をより黒く補正させることにより低減する黒強調手段と、撮影状況に応じて、前記スミア低減手段による局所的なスミア低減の処理と、前記黒強調手段による全体的な黒浮き低減の処理とを行う割合を変化させる制御手段と、を備えたことを特徴とする。
【手続補正２】
【補正対象書類名】明細書
【補正対象項目名】００１３
【補正方法】変更
【補正の内容】
【００１３】
また、好ましい態様として、前記制御手段は、撮像画像内に生じるスミアの量が所定値以上であることを検出、または撮像画像内に生じるスミアの量が所定値以上となることが予測できる撮影状況である場合には、そうで無い場合と比較して、前記黒強調手段による全体的な黒浮き低減の処理を行う割合が前記スミア低減手段による局所的なスミア低減の処理を行う割合よりも高くなるように変化させるようにしてもよい。
【手続補正３】
【補正対象書類名】明細書
【補正対象項目名】００１４
【補正方法】変更
【補正の内容】
【００１４】
また、好ましい態様として、前記階調補正手段は、予め記憶された基準となる階調補正情報に基づいて前記撮像素子により撮像された撮像画像全体の階調を補正し、前記黒強調手段は、前記基準となる階調補正情報を、低階調側の値がより黒くなるように変化させることで、前記撮像素子により撮像された撮像画像全体に生じる黒浮きを低減させる補正を前記階調補正手段に実行させるようにしてもよい。
【手続補正４】
【補正対象書類名】明細書
【補正対象項目名】００１５
【補正方法】変更
【補正の内容】
【００１５】
また、好ましい態様として、前記制御手段は、メカニカルシャッタが利用できない状態で、かつ、被写体の明るさが所定値以上、かつ、フィールド内の非露光期間の割合が所定値以上である場合に、そうで無い場合と比較して、前記黒強調手段による全体的な黒浮き低減の処理を行う割合が前記スミア低減手段による局所的なスミア低減の処理を行う割合よりも高くなるように変化させるようにしてもよい。
【手続補正５】
【補正対象書類名】明細書
【補正対象項目名】００１６
【補正方法】変更
【補正の内容】
【００１６】
また、好ましい態様として、前記制御手段は、メカニカルシャッタが利用できない状態で、かつ、被写体の明るさが所定値以上、かつ、フィールド内の非露光期間の割合が所定値以上であることを条件に、前記黒強調手段による全体的な黒浮き低減の処理を行うようにしてもよい。
【手続補正６】
【補正対象書類名】明細書
【補正対象項目名】００１７
【補正方法】変更
【補正の内容】
【００１７】
また、好ましい態様として、前記制御手段は、動画撮影である場合に、そうで無い場合と比較して、前記黒強調手段による全体的な黒浮き低減の処理を行う割合が前記スミア低減手段による局所的なスミア低減の処理を行う割合よりも高くなるように変化させるようにしてもよい。
【手続補正７】
【補正対象書類名】明細書
【補正対象項目名】００１８
【補正方法】変更
【補正の内容】
【００１８】
また、好ましい態様として、前記撮像素子は、少なくともスミア検出領域を有し、前記スミア低減手段は、前記スミア検出領域の画素値に基づいて、前記撮像素子により撮像された撮像画像内に生じる筋状のスミアを検出し、この検出されるスミアに相当する画素値を所定割合で減算することで、前記撮像素子により撮像された撮像画像内に生じるスミアを低減するようにしてもよい。
また、好ましい態様として、前記黒強調手段は、前記被写体の明るさ、撮像画像内に生じる筋状のスミア量、露光期間の逆数、シャッタスピード、またはフィールド内の非露光期間の割合のうち、いずれかの値が大きくなる程、前記黒浮き低減処理の強度を増すようにしてもよい。
また、好ましい態様として、ユーザ操作により撮像画像のコントラスト補正強度を指定する指定手段と、前記指定手段により指定されるコントラスト補正強度に応じて、前記基準となる階調補正情報を変更するコントラスト変更手段とを更に備えるようにしてもよい。
また、好ましい態様として、ユーザ操作により前記黒強調手段による黒浮き低減処理の有無、または黒浮き低減処理の強度の変更を指示する変更手段を更に備えるようにしてもよい。
【手続補正８】
【補正対象書類名】明細書
【補正対象項目名】００１９
【補正方法】変更
【補正の内容】
【００１９】
上記目的達成のため、本発明による画像処理方法は、撮像素子により撮像された撮像画像全体の階調を補正する階調補正処理と、前記撮像素子により撮像された撮像画像内に局所的に生じるスミアの位置を検出し、この検出位置に基づいて局所的にスミアを低減するスミア低減処理と、前記撮像素子により撮像された撮像画像全体に生じる黒浮きを、前記階調補正処理により低階調側をより黒く補正させることにより低減する黒強調処理と、撮影状況に応じて、前記スミア低減処理による局所的なスミア低減の処理と、前記黒強調処理による全体的な黒浮き低減の処理とを行う割合を変化させる制御処理と、を含むことを特徴とする。
上記目的達成のため、本発明によるプログラムは、撮像素子を有する撮像装置のコンピュータを、前記撮像素子により撮像された撮像画像全体の階調を補正する階調補正手段、前記撮像素子により撮像された撮像画像内に局所的に生じるスミアの位置を検出し、この検出位置に基づいて局所的にスミアを低減するスミア低減手段、前記撮像素子により撮像された撮像画像全体に生じる黒浮きを、前記階調補正手段により低階調側をより黒く補正させることにより低減する黒強調手段、撮影状況に応じて、前記スミア低減手段による局所的なスミア低減の処理と、前記黒強調手段による全体的な黒浮き低減の処理とを行う割合を変化させる制御手段として機能させることを特徴とする。
【手続補正９】
【補正対象書類名】特許請求の範囲
【補正対象項目名】全文
【補正方法】変更
【補正の内容】
【特許請求の範囲】
【請求項１】
撮像素子と、
前記撮像素子により撮像された撮像画像全体の階調を補正する階調補正手段と、
前記撮像素子により撮像された撮像画像内に局所的に生じるスミアの位置を検出し、この検出位置に基づいて局所的にスミアを低減するスミア低減手段と、
前記撮像素子により撮像された撮像画像全体に生じる黒浮きを、前記階調補正手段により低階調側をより黒く補正させることにより低減する黒強調手段と、
撮影状況に応じて、前記スミア低減手段による局所的なスミア低減の処理と、前記黒強調手段による全体的な黒浮き低減の処理とを行う割合を変化させる制御手段と、
を備えたことを特徴とする撮像装置。
【請求項２】
前記制御手段は、撮像画像内に生じるスミアの量が所定値以上であることを検出、または撮像画像内に生じるスミアの量が所定値以上となることが予測できる撮影状況である場合には、そうで無い場合と比較して、前記黒強調手段による全体的な黒浮き低減の処理を行う割合が前記スミア低減手段による局所的なスミア低減の処理を行う割合よりも高くなるように変化させることを特徴とする請求項１記載の撮像装置。
【請求項３】
前記階調補正手段は、予め記憶された基準となる階調補正情報に基づいて前記撮像素子により撮像された撮像画像全体の階調を補正し、
前記黒強調手段は、前記基準となる階調補正情報を、低階調側の値がより黒くなるように変化させることで、前記撮像素子により撮像された撮像画像全体に生じる黒浮きを低減させる補正を前記階調補正手段に実行させることを特徴とする請求項１または２に記載の撮像装置。
【請求項４】
前記制御手段は、メカニカルシャッタが利用できない状態で、かつ、被写体の明るさが所定値以上、かつ、フィールド内の非露光期間の割合が所定値以上である場合に、そうで無い場合と比較して、前記黒強調手段による全体的な黒浮き低減の処理を行う割合が前記スミア低減手段による局所的なスミア低減の処理を行う割合よりも高くなるように変化させることを特徴とする請求項１乃至３のいずれかに記載の撮像装置。
【請求項５】
前記制御手段は、メカニカルシャッタが利用できない状態で、かつ、被写体の明るさが所定値以上、かつ、フィールド内の非露光期間の割合が所定値以上であることを条件に、前記黒強調手段による全体的な黒浮き低減の処理を行うことを特徴とする請求項４記載の撮像装置。
【請求項６】
前記制御手段は、動画撮影である場合に、そうで無い場合と比較して、前記黒強調手段による全体的な黒浮き低減の処理を行う割合が前記スミア低減手段による局所的なスミア低減の処理を行う割合よりも高くなるように変化させることを特徴とする請求項１乃至５のいずれかに記載の撮像装置。
【請求項７】
前記撮像素子は、少なくともスミア検出領域を有し、
前記スミア低減手段は、前記スミア検出領域の画素値に基づいて、前記撮像素子により撮像された撮像画像内に生じる筋状のスミアを検出し、この検出されるスミアに相当する画素値を所定割合で減算することで、前記撮像素子により撮像された撮像画像内に生じるスミアを低減することを特徴とする請求項１乃至６のいずれかに記載の撮像装置。
【請求項８】
前記黒強調手段は、
前記被写体の明るさ、撮像画像内に生じる筋状のスミア量、露光期間の逆数、シャッタスピード、またはフィールド内の非露光期間の割合のうち、いずれかの値が大きくなる程、前記黒浮き低減処理の強度を増す、
ことを特徴とする請求項１乃至７のいずれかに記載の撮像装置。
【請求項９】
ユーザ操作により撮像画像のコントラスト補正強度を指定する指定手段と、
前記指定手段により指定されるコントラスト補正強度に応じて、前記基準となる階調補正情報を変更するコントラスト変更手段と
を更に備えたことを特徴とする請求項１乃至８のいずれかに記載の撮像装置。
【請求項１０】
ユーザ操作により前記黒強調手段による黒浮き低減処理の有無、または黒浮き低減処理の強度の変更を指示する変更手段を更に備えることを特徴とする請求項１乃至９のいずれかに記載の撮像装置。
【請求項１１】
撮像素子により撮像された撮像画像全体の階調を補正する階調補正処理と、
前記撮像素子により撮像された撮像画像内に局所的に生じるスミアの位置を検出し、この検出位置に基づいて局所的にスミアを低減するスミア低減処理と、
前記撮像素子により撮像された撮像画像全体に生じる黒浮きを、前記階調補正処理により低階調側をより黒く補正させることにより低減する黒強調処理と、
撮影状況に応じて、前記スミア低減処理による局所的なスミア低減の処理と、前記黒強調処理による全体的な黒浮き低減の処理とを行う割合を変化させる制御処理と、
を含むことを特徴とする画像処理方法。
【請求項１２】
撮像素子を有する撮像装置のコンピュータを、
前記撮像素子により撮像された撮像画像全体の階調を補正する階調補正手段、
前記撮像素子により撮像された撮像画像内に局所的に生じるスミアの位置を検出し、この検出位置に基づいて局所的にスミアを低減するスミア低減手段、
前記撮像素子により撮像された撮像画像全体に生じる黒浮きを、前記階調補正手段により低階調側をより黒く補正させることにより低減する黒強調手段、
撮影状況に応じて、前記スミア低減手段による局所的なスミア低減の処理と、前記黒強調手段による全体的な黒浮き低減の処理とを行う割合を変化させる制御手段
として機能させることを特徴とするプログラム。